(57)【要約】【課題】上面に取っ手板２２ ,２２を形成した直方体状のテイクアウト用の紙箱であって、顧客が持帰るなどして上面を開放した時に、前面板３１と後面板３１と右左の側面板３２ ,３２とを垂直以上に大きく開放することができる、収容物を取出し易いテイクアウト用の紙箱を提供する。【解決手段】本発明は、前面板３１と後面板３１と右左の側面板３２ ,３２と側面内板３３ ,３３と側面繋止板３４ ,３４とを折立てて、この右左の側面板３２ ,３２の繋止切れ目ａ ,ａに、側面繋止板３４ ,３４の縦長の嘴状凸部ｂ ,ｂを挿入した状態で、取っ手板２２ ,２２を折立てた前後の上面板２１ ,２１を被せて、この取っ手板２２ ,２２の指掛け開口ｃ ,ｃに、上面繋止板２３ ,２３の嘴状凸部ｅ ,ｅを挿入して繋止したテイクアウト用の紙箱である。【選択図】図２
2005126089.tif 000002
【特許請求の範囲】
【請求項１】
三角形の前上面板２１と前面板３１と底面板４１と後面板３１と三角形の後上面板２１とを、折り目線を介して順に連設して、この前面板３１と底面板４１と後面板３１との右辺に、斜めの繋止切れ目ａを設けた右の側面板３２と側面内板３３と斜辺に縦長の嘴状凸部ｂを形成した三角形の側面繋止板３４とを、また前面板３１と底面板４１と後面板３１との左辺に、斜辺に縦長の嘴状凸部ｂを形成した三角形の側面繋止板３４と側面内板３３と斜めの繋止切れ目ａを設けた左の側面板３２とを、それぞれ折り目線を介して連設して、それぞれ三角形の前後の上面板２１ ,２１の斜辺に、中央下部に指掛け開口ｃ ,ｃを設けた取っ手板２２ ,２２を、谷折り線ｄ ,ｄを介して連設して、それぞれ三角形の側面繋止板３４ ,３４の上辺に、頂部に嘴状凸部ｅ ,ｅを形成した三角形の上面繋止板２３ ,２３を、折り目線ｆ ,ｆを介して連設したテイクアウト用の紙箱のブランクであって、
前面板３１と後面板３１と右左の側面板３２ ,３２と側面内板３３ ,３３と側面繋止板３４ ,３４とを折立てて、この右左の側面板３２ ,３２の繋止切れ目ａ ,ａに、側面繋止板３４ ,３４の縦長の嘴状凸部ｂ ,ｂを挿入した状態で、取っ手板２２ ,２２を折立てた前後の上面板２１ ,２１を被せて、この取っ手板２２ ,２２の指掛け開口ｃ ,ｃに、上面繋止板２３ ,２３の嘴状凸部ｅ ,ｅを挿入して繋止したことを特徴とするテイクアウト用の紙箱。
【請求項２】
請求項１に記載のテイクアウト用の紙箱において、右左の側面板３２ ,３２の繋止切れ目ａ ,ａに挿入する縦長の嘴状凸部ｂ ,ｂに替えて、それぞれ三角形の側面繋止板３４ ,３４の斜辺に、縦長の舌状凸部ｇ ,ｇを形成したことを特徴とするテイクアウト用の紙箱。
【請求項３】
請求項１又は請求項２に記載のテイクアウト用の紙箱において、取っ手板２２ ,２２の指掛け開口ｃ ,ｃに挿入して繋止する、それぞれ三角形の上面繋止板２３ ,２３の頂部に形成した嘴状凸部ｅ ,ｅの嘴部に、折り目線ｈ ,ｈを設けたことを特徴とするテイクアウト用の紙箱。
【発明の詳細な説明】
【技術分野】
【０００１】
本発明は、菓子ケーキ類やファーストフード類や各種イベント品などを収容する、板紙製や段ボール紙製などの、上面に取っ手板２２ ,２２を形成した直方体状の、収容物を取出し易いテイクアウト( 持帰り )用の紙箱に関する。
【背景技術】
【０００２】
従来から、菓子ケーキ類やファーストフード類や各種イベント品などを収容する、板紙製や段ボール紙製などの、上面に取っ手板を形成した直方体状の、各種形状のテイクアウト用の紙箱が広く用いられているものであって、
例えば図５に示すような、前面板３１と後面板３１との上辺に、前後の上面板５１ ,５１と、それぞれ左右の斜辺に繋止凸部ｉ ,ｉと中央下部に指掛け開口ｊとを設けた取っ手板５２ ,５２とを、それぞれ折り目線( 符号がない１点鎖線、以下同じ )と谷折り線( 符号がない破線、以下同じ )とを介して順に連設して、左右の側面板３２ ,３２の上辺に、それぞれ中央下部に縦長の繋止切れ目ｋを設けた上面繋止板５３ ,５３を、それぞれ折り目線を介して連設した、図５Ｂに示す上面を開放した直方体状の紙箱であって、図５Ａに示すように、取っ手板５２ ,５２を折立てた前後の上面板５１ ,５１を被せて、左右の上面繋止板５３ ,５３の繋止切れ目ｋ ,ｋに、この取っ手板５２ ,５２の繋止凸部ｉ ,ｉ ,ｉ ,ｉを挿入して繋止した、板紙製や段ボール紙製などのテイクアウト用の紙箱が、一般に広く用いられている。
【発明の開示】
【発明が解決しようとする課題】
【０００３】
ところが従来の、図５に示すテイクアウト用の紙箱については、前述した図５Ｂに示す上面を開放した直方体状の紙箱に、菓子ケーキ類やファーストフード類や各種イベント品などを収容した後に、取っ手板５２ ,５２を折立てた前後の上面板５１ ,５１を被せて、左右の上面繋止板５３ ,５３の繋止切れ目ｋ ,ｋに、この取っ手板５２ ,５２の繋止凸部ｉ ,ｉ ,ｉ ,ｉを挿入して、確実に繋止して、上面に形成した取っ手板５２ ,５２の指掛け開口ｊ ,ｊに指を掛けて持運ぶことができるものの、顧客が持帰るなどして、繋止切れ目ｋ ,ｋと繋止凸部ｉ ,ｉ ,ｉ ,ｉとの繋止を外して、テイクアウト用の紙箱の上面を開放した時に、図５Ｂに示すように、前面板３１と後面板３１と右左の側面板３２ ,３２とを垂直以上に大きく開放することができないために、特に前面板３１と後面板３１との上辺に連設した前後の上面板５１ ,５１と取っ手板５２ ,５２とが、板紙や段ボール紙などの反発力で勝手に閉じたりして邪魔になって、収容物を取出し難いことが問題であって、収容したショートケーキなどを傷めることが多かった。
【０００４】
そこで、本発明の目的は、菓子ケーキ類やファーストフード類や各種イベント品などを収容する、板紙製や段ボール紙製などの、上面に取っ手板２２ ,２２を形成した直方体状のテイクアウト用の紙箱であって、顧客が持帰るなどして上面を開放した時に、前面板３１と後面板３１と右左の側面板３２ ,３２とを垂直以上に大きく開放することができる、収容物を取出し易いテイクアウト用の紙箱を提供することにある。
【課題を解決するための手段】
【０００５】
本発明のテイクアウト用の紙箱は、図１ ,図２に示すように、三角形の前上面板２１と前面板３１と底面板４１と後面板３１と三角形の後上面板２１とを、折り目線を介して順に連設して、この前面板３１と底面板４１と後面板３１との右辺に、斜めの繋止切れ目ａを設けた右の側面板３２と側面内板３３と斜辺に縦長の嘴状凸部ｂを形成した三角形の側面繋止板３４とを、また前面板３１と底面板４１と後面板３１との左辺に、斜辺に縦長の
嘴状凸部ｂを形成した三角形の側面繋止板３４と側面内板３３と斜めの繋止切れ目ａを設けた左の側面板３２とを、それぞれ折り目線を介して連設して、それぞれ三角形の前後の上面板２１ ,２１の斜辺に、中央下部に指掛け開口ｃ ,ｃを設けた取っ手板２２ ,２２を、谷折り線ｄ ,ｄを介して連設して、それぞれ三角形の側面繋止板３４ ,３４の上辺に、頂部に嘴状凸部ｅ ,ｅを形成した三角形の上面繋止板２３ ,２３を、折り目線ｆ ,ｆを介して連設した、図１に示すテイクアウト用の紙箱のブランクであって、
前面板３１と後面板３１と右左の側面板３２ ,３２と側面内板３３ ,３３と側面繋止板３４ ,３４とを折立てて、図２Ａに示すように、この右左の側面板３２ ,３２の繋止切れ目ａ ,ａに、側面繋止板３４ ,３４の縦長の嘴状凸部ｂ ,ｂを挿入した状態で、取っ手板２２ ,２２を折立てた前後の上面板２１ ,２１を被せて、この取っ手板２２ ,２２の指掛け開口ｃ ,ｃに、上面繋止板２３ ,２３の嘴状凸部ｅ ,ｅを挿入して繋止したことを特徴とするテイクアウト用の紙箱である。
【０００６】
本発明のテイクアウト用の紙箱においては、前述した図１に示すテイクアウト用の紙箱のブランクの、底面板４１の上に、菓子ケーキ類やファーストフード類や各種イベント品などを載置して収容した後に、前面板３１と後面板３１と右左の側面板３２ ,３２と側面内板３３ ,３３と側面繋止板３４ ,３４とを折立てて、この右左の側面板３２ ,３２の繋止切れ目ａ ,ａに、側面繋止板３４ ,３４の縦長の嘴状凸部ｂ ,ｂを挿入した状態で、取っ手板２２ ,２２を折立てた前後の上面板２１ ,２１を被せて、この取っ手板２２ ,２２の指掛け開口ｃ ,ｃに、上面繋止板２３ ,２３の嘴状凸部ｅ ,ｅを挿入して、確実に繋止することによって、上面に形成した取っ手板２２ ,２２の指掛け開口ｃ ,ｃに指を掛けて持運ぶことができる、販売業者などが収容物を収容し易いテイクアウト用の紙箱を提供することができる。
【０００７】
しかも、本発明のテイクアウト用の紙箱においては、顧客が持帰るなどして、指掛け開口ｃ ,ｃと嘴状凸部ｅ ,ｅとの繋止を外して、テイクアウト用の紙箱の上面を開放した時に、図２Ｂに示すように、特に前面板３１と後面板３１とを垂直以上に大きく開放することができるために、前面板３１と後面板３１との上辺に連設した前後の上面板２１ ,２１と取っ手板２２ ,２２とが邪魔になることがない、しかも右左の側面板３２ ,３２の繋止切れ目ａ ,ａに挿入した状態の、側面繋止板３４ ,３４の縦長の嘴状凸部ｂ ,ｂの嘴部が、この繋止切れ目ａ ,ａに確実に繋止するために、図２Ｂに示す上面を大きく開放した形状が安定した、顧客などが収容物を取出し易いテイクアウト用の紙箱を提供することができる。
【０００８】
また、本発明のテイクアウト用の紙箱は、前述した図１ ,図２に示すテイクアウト用の紙箱の、右左の側面板３２ ,３２の繋止切れ目ａ ,ａに挿入する縦長の嘴状凸部ｂ ,ｂに替えて、図３ ,図４に示すように、それぞれ三角形の側面繋止板３４ ,３４の斜辺に、縦長の舌状凸部ｇ ,ｇを形成したことを特徴とするテイクアウト用の紙箱である。
【０００９】
本発明のテイクアウト用の紙箱においては、前述した図１ ,図２に示すテイクアウト用の紙箱と同様に、図３に示すテイクアウト用の紙箱のブランクの、底面板４１の上に、菓子ケーキ類やファーストフード類や各種イベント品などを載置して収容した後に、前面板３１と後面板３１と右左の側面板３２ ,３２と側面内板３３ ,３３と側面繋止板３４ ,３４とを折立てて、図４に示すように、この右左の側面板３２ ,３２の繋止切れ目ａ ,ａに、側面繋止板３４ ,３４の縦長の舌状凸部ｇ ,ｇを挿入した状態で、取っ手板２２ ,２２を折立てた前後の上面板２１ ,２１を被せて、この取っ手板２２ ,２２の指掛け開口ｃ ,ｃに、上面繋止板２３ ,２３の嘴状凸部ｅ ,ｅを挿入して、確実に繋止して、上面に形成した取っ手板２２ ,２２の指掛け開口ｃ ,ｃに指を掛けて持運ぶことができる、販売業者などが収容物を収容し易いテイクアウト用の紙箱を提供することができる。
【００１０】
しかも、本発明のテイクアウト用の紙箱においては、顧客が持帰るなどして、指掛け開口ｃ ,ｃと嘴状凸部ｅ ,ｅとの繋止を外して、テイクアウト用の紙箱の上面を開放した時に、右左の側面板３２ ,３２の繋止切れ目ａ ,ａに挿入した状態の、側面繋止板３４ ,３４の縦長の舌状凸部ｇ ,ｇが、ワンタッチで外れて、前面板３１と後面板３１と右左の側面板３２ ,３２とを垂直以上の、図３に示すテイクアウト用の紙箱のブランクと同様の殆ど水平に開放することができるために、収容したショートケーキなどを傷める恐れがない、顧客などが収容物を取出し易いテイクアウト用の紙箱を提供することができる。
【００１１】
加えて、本発明のテイクアウト用の紙箱は、前述した図１ ,図２ ,図３ ,図４に示すテイクアウト用の紙箱の、取っ手板２２ ,２２の指掛け開口ｃ ,ｃに挿入して繋止する、それぞれ三角形の上面繋止板２３ ,２３の頂部に形成した嘴状凸部ｅ ,ｅの嘴部に、図１ ,図３に示すように、谷折り線ｈ ,ｈを設けたことを特徴とするテイクアウト用の紙箱である。
【００１２】
本発明のテイクアウト用の紙箱においては、前述した図１ ,図３に示すテイクアウト用の紙箱のブランクの、底面板４１の上に、菓子ケーキ類やファーストフード類や各種イベント品などを載置して収容した後に、前面板３１と後面板３１と右左の側面板３２ ,３２と側面内板３３ ,３３と側面繋止板３４ ,３４とを折立てて、図２Ａ ,図４に示すように、この右左の側面板３２ ,３２の繋止切れ目ａ ,ａに、側面繋止板３４ ,３４の縦長の嘴状凸部ｂ ,ｂ又は縦長の舌状凸部ｇ ,ｇを挿入した状態で、取っ手板２２ ,２２を折立てた前後の上面板２１ ,２１を被せて、この取っ手板２２ ,２２の指掛け開口ｃ ,ｃに、上面繋止板２３ ,２３の嘴状凸部ｅ ,ｅを、嘴状凸部ｅ ,ｅの嘴部に設けた谷折り線ｈ ,ｈを谷折りして楽に挿入して、この谷折り線ｈ ,ｈを開いて確実に繋止することができる、販売業者などが収容物を収容し易いテイクアウト用の紙箱を提供することができる。
【発明の効果】
【００１３】
以上、本発明のテイクアウト用の紙箱においては、菓子ケーキ類やファーストフード類や各種イベント品などを収容する、板紙製や段ボール紙製などの、上面に取っ手板２２ ,２２を形成した直方体状の、販売業者などが収容物を収容し易いテイクアウト用の紙箱であって、顧客が持帰るなどして上面を開放した時に、特に前面板３１と後面板３１とを垂直以上に大きく開放することができる廉価なテイクアウト用の紙箱を得ることができる。
【実施例１】
【００１４】
図１は、本発明の実施例１における、テイクアウト用の紙箱のブランクの平面図である。また図２Ａは、本発明の実施例１における、テイクアウト用の紙箱の斜視図であって、図２Ｂは、テイクアウト用の紙箱の、上面を大きく開放した形状を示す斜視図である。
【００１５】
すなわち、三角形の前上面板２１と前面板３１と底面板４１と後面板３１と三角形の後上面板２１とを、折り目線を介して順に連設して、この前面板３１と底面板４１と後面板３１との右辺に、斜めの繋止切れ目ａを設けた右の側面板３２と側面内板３３と斜辺に縦長の嘴状凸部ｂを形成した三角形の側面繋止板３４とを、折り目線を介して連設して、また前面板３１と底面板４１と後面板３１との左辺に、斜辺に縦長の嘴状凸部ｂを形成した三角形の側面繋止板３４と側面内板３３と斜めの繋止切れ目ａを設けた左の側面板３２とを、折り目線を介して連設して、それぞれ三角形の前後の上面板２１ ,２１の斜辺に、中央下部に指当て板ｍを有する指掛け開口ｃ ,ｃを設けた取っ手板２２ ,２２を、谷折り線ｄ ,ｄを介して連設して、それぞれ三角形の側面繋止板３４ ,３４の上辺に、頂部に嘴部に谷折り線ｈを設けた嘴状凸部ｅ ,ｅを形成した三角形の上面繋止板２３ ,２３を、折り目線ｆ ,ｆを介して連設した、図１に示すテイクアウト用の紙箱のブランクであって、
表面に美麗な印刷をした裏白コートボール紙３５０ｇ／ｍ2 を用いて、通常の打抜型を用いた打抜工程で、無駄が少ないほゞ長方形状のテイクアウト用の紙箱のブランクを作製
した。
【００１６】
次に、全ての符号がない１点鎖線で示す折り目線と折り目線ｆ ,ｆとを山折りして谷折り線ｄ ,ｄを谷折りした、図１に示すテイクアウト用の紙箱のブランクの、底面板４１の上に、６個のショートケーキ類を載置して収容した後に、店頭などでの簡単な手作業で、前面板３１と後面板３１と右左の側面板３２ ,３２と側面内板３３ ,３３と側面繋止板３４ ,３４とを折立てて、この右左の側面板３２ ,３２の繋止切れ目ａ ,ａに、側面繋止板３４ ,３４の縦長の嘴状凸部ｂ ,ｂを挿入した状態で、取っ手板２２ ,２２を折立てた前後の上面板２１ ,２１を被せて、この取っ手板２２ ,２２の指掛け開口ｃ ,ｃに、上面繋止板２３ ,２３の嘴状凸部ｅ ,ｅを、谷折り線ｈ ,ｈを谷折りして楽に挿入して、この谷折り線ｈ ,ｈを開いて確実に繋止することによって、
上面に形成した取っ手板２２ ,２２の指掛け開口ｃ ,ｃに、指当て板ｍ ,ｍを折込んで指を掛けて持運ぶことができる、縦と横と高さとが１２×１８×６ｃｍの、図２Ａに示す上面に取っ手板２２ ,２２を形成した直方体状の、販売業者などが収容物を収容し易いテイクアウト用の紙箱を作製した。
【００１７】
本実施例１のテイクアウト用の紙箱においては、顧客が持帰るなどして、指掛け開口ｃ
,ｃと嘴状凸部ｅ ,ｅとの繋止を外して、テイクアウト用の紙箱の上面を開放した時に、図２Ｂに示すように、特に前面板３１と後面板３１とを垂直以上に大きく開放することができるために、前面板３１と後面板３１との上辺に連設した前後の上面板２１ ,２１と取っ手板２２ ,２２とが邪魔になることがない、しかも右左の側面板３２ ,３２の繋止切れ目ａ ,ａに挿入した状態の、側面繋止板３４ ,３４の縦長の嘴状凸部ｂ ,ｂの嘴部が、この繋止切れ目ａ ,ａに確実に繋止するために、図２Ｂに示す上面を大きく開放した形状が安定した、顧客などが収容したショートケーキ類を取出し易いテイクアウト用の紙箱を得ることができた。
【実施例２】
【００１８】
図３は、本発明の実施例２における、テイクアウト用の紙箱のブランクの平面図である。また図４は、本発明の実施例２における、テイクアウト用の紙箱の斜視図である。
【００１９】
すなわち、三角形の前上面板２１と前面板３１と底面板４１と後面板３１と三角形の後上面板２１とを、折り目線を介して順に連設して、この前面板３１と底面板４１と後面板３１との右辺に、斜めの繋止切れ目ａを設けた右の側面板３２と側面内板３３と斜辺に縦長の舌状凸部ｇを形成した三角形の側面繋止板３４とを、折り目線を介して連設して、また前面板３１と底面板４１と後面板３１との左辺に、斜辺に縦長の舌状凸部ｇを形成した三角形の側面繋止板３４と側面内板３３と斜めの繋止切れ目ａを設けた左の側面板３２とを、折り目線を介して連設して、それぞれ三角形の前後の上面板２１ ,２１の斜辺に、中央下部に指掛け開口ｃ ,ｃを設けた取っ手板２２ ,２２を、谷折り線ｄ ,ｄを介して連設して、それぞれ三角形の側面繋止板３４ ,３４の上辺に、頂部に嘴部に谷折り線ｈを設けた嘴状凸部ｅ ,ｅを形成した三角形の上面繋止板２３ ,２３を、折り目線ｆ ,ｆを介して連設した、図３に示すテイクアウト用の紙箱のブランクであって、
実施例１と同様に、表面に美麗な印刷をした裏白コートボール紙３５０ｇ／ｍ2 を用いて、通常の打抜型を用いた打抜工程で、無駄が少ないほゞ長方形状のテイクアウト用の紙箱のブランクを作製した。
【００２０】
次に、全ての符号がない１点鎖線で示す折り目線と折り目線ｆ ,ｆとを山折りして谷折り線ｄ ,ｄを谷折りした、図３に示すテイクアウト用の紙箱のブランクの、底面板４１の上に、６個のショートケーキ類を載置して収容した後に、実施例１と同様に、店頭などでの簡単な手作業で、前面板３１と後面板３１と右左の側面板３２ ,３２と側面内板３３ ,３３と側面繋止板３４ ,３４とを折立てて、この右左の側面板３２ ,３２の繋止切れ目ａ
,ａに、側面繋止板３４ ,３４の縦長の舌状凸部ｇ ,ｇを挿入した状態で、取っ手板２２
,２２を折立てた前後の上面板２１ ,２１を被せて、この取っ手板２２ ,２２の指掛け開口ｃ ,ｃに、上面繋止板２３ ,２３の嘴状凸部ｅ ,ｅを、谷折り線ｈ ,ｈを谷折りして楽に挿入して、この谷折り線ｈ ,ｈを開いて確実に繋止することによって、
上面に形成した取っ手板２２ ,２２の指掛け開口ｃ ,ｃに指を掛けて持運ぶことができる、縦と横と高さとが実施例１と同一の１２×１８×６ｃｍの、図４に示す上面に取っ手板２２ ,２２を形成した直方体状の、販売業者などが収容物を収容し易いテイクアウト用の紙箱を作製した。
【００２１】
本実施例２のテイクアウト用の紙箱においては、顧客が持帰るなどして、指掛け開口ｃ
,ｃと嘴状凸部ｅ ,ｅとの繋止を外して、テイクアウト用の紙箱の上面を開放した時に、右左の側面板３２ ,３２の繋止切れ目ａ ,ａに挿入した状態の、側面繋止板３４ ,３４の縦長の舌状凸部ｇ ,ｇが、ワンタッチで外れて、前面板３１と後面板３１と右左の側面板３２ ,３２とを垂直以上の、図３に示すテイクアウト用の紙箱のブランクと同様の殆ど水平に開放することができるために、顧客などが収容したショートケーキ類を傷める恐れがない、収容物を取出し易いテイクアウト用の紙箱を得ることができた。
【産業上の利用可能性】
【００２２】
特になし。
【図面の簡単な説明】
【００２３】
【図１】本発明の実施例１における、テイクアウト用の紙箱のブランクの平面図である。
【図２】本発明の実施例１における、図２Ａは、テイクアウト用の紙箱の斜視図であって、図２Ｂは、テイクアウト用の紙箱の、上面を大きく開放した形状を示す斜視図である。
【図３】本発明の実施例２における、テイクアウト用の紙箱のブランクの平面図である。
【図４】本発明の実施例２における、テイクアウト用の紙箱の斜視図である。
【図５】図５Ａは、従来のテイクアウト用の紙箱の斜視図であって、図５Ｂは、従来のテイクアウト用の紙箱の、上面を開放した形状を示す斜視図である。
【符号の説明】
【００２４】
２１ ,５１  …前後の上面板
２２ ,５２  …取っ手板
２３ ,５３  …上面繋止板
３１        …前面板 ,後面板
３２        …右左の側面板
３３        …側面内板
３４        …側面繋止板
４１        …底面板
ａ ,ｋ      …繋止切れ目
ｂ          …縦長の嘴状凸部
ｃ ,ｊ      …指掛け開口
ｄ ,ｈ      …谷折り線
ｅ          …嘴状凸部
ｆ          …折り目線
ｇ          …縦長の舌状凸部
ｉ          …繋止凸部
ｍ          …指当て板
【図１】
2005126089.tif 000003
【図２】
2005126089.tif 000004
【図３】
2005126089.tif 000005
【図４】
2005126089.tif 000006
【図５】
2005126089.tif 000007